(57)【要約】【課題】流出側短管に用いることができるパイプ継手のバリエーションが豊富で、分岐数の選択の自由度も高い配管用ヘッダーを提供すること。【解決手段】ヘッダー本体１０の一端部には、流入側接続部１１が設けられている。流入側接続部１１には、フランジアダプターや別のヘッダー本体１０の中間接続部が挿入接続される。ヘッダー本体１０の外周面には、軸線方向に沿って複数の流出側接続部１２が突出して設けられている。流出側接続部１２には、流出側短管１３が挿入接続されている。ヘッダー本体１０及び流入側接続部１１並びに流出側接続部１２は、非架橋ポリオレフィン樹脂により一体に形成されている。流出側短管１３は、架橋ポリオレフィン樹脂で形成された内層部１３ａと非架橋ポリオレフィン樹脂で形成された外層部１３ｂとを備えている。流出側短管１３は、外層部１３ｂにおいて流出側接続部１２に対して熱融着されている。【選択図】図１
0003206954.tif 000002
【実用新案登録請求の範囲】
【請求項１】
円筒状をなすヘッダー本体の一端部には円筒状の流入側接続部が設けられ、当該流入側接続部は流入側配管具が挿入接続されるものであり、前記ヘッダー本体の外周面には当該ヘッダー本体の軸線方向に沿って複数の流出側接続部が円筒状に突出して設けられ、当該流出側接続部には流出側短管が挿入接続された配管用ヘッダーにおいて、
前記ヘッダー本体及び前記流入側接続部並びに前記流出側接続部は非架橋ポリオレフィン樹脂により一体に形成され、前記流出側短管は、架橋ポリオレフィン樹脂で形成された内層部と非架橋ポリオレフィン樹脂で形成された外層部とを備え、当該流出側短管は前記外層部において前記流出側接続部に対して熱融着されていることを特徴とする配管用ヘッダー。
【考案の詳細な説明】
【技術分野】
【０００１】
本考案は、配管のヘッダー工法に用いられる配管用ヘッダーに関する。
【背景技術】
【０００２】
例えば非特許文献１には、消火配管に用いられるヘッダー（例えば品番：ＳＨＤ３０１６Ｆ８）が開示されている。当該ヘッダーは、円筒状をなすヘッダー本体と、当該ヘッダー本体の一端部に設けられた円筒状の流入側接続部と、ヘッダー本体の外周面において当該ヘッダー本体の軸線方向に沿って設けられた互いに平行な複数の流出側短管とが、非架橋ポリエチレン樹脂により一体に形成されている。
【０００３】
そして、前記流入側接続部には、ヘッダーを流入側の鋼管等に接続するためのルーズフランジのフランジアダプターが挿入接続されたり、或いは、別のヘッダー本体の他端部を挿入して熱融着することで、ヘッダーが延長されたりする。流出側短管には、エレクトロフュージョン継手を介して、スプリンクラーヘッドに繋がる樹脂パイプが接続される。
【０００４】
また、非特許文献２には、給水給湯配管に用いられるヘッダー（例えば品番：ＥＦＨ２−２００６−１３Ｂ）が開示されている。当該ヘッダーは、円筒状をなすヘッダー本体が、架橋ポリエチレン樹脂により形成されている。ヘッダー本体の一端部には、円筒状をなす流入側接続部が設けられている。ヘッダー本体の外周面には、当該ヘッダー本体の軸線方向に沿って、複数の流出側接続部が円筒状に突出して設けられている。流入側接続部及び流出側接続部は、それぞれ円筒状の外層部が架橋ポリエチレン樹脂によりヘッダー本体と一体に形成されてなおかつ、当該円筒状の内層部が非架橋ポリエチレン樹脂よりなっている。
【０００５】
前記流入側接続部には、流入側短管が挿入接続されている。流出側接続部には、流出側短管が挿入接続されている。流入側短管及び流出側短管は、架橋ポリエチレン樹脂からなる内層部と非架橋ポリエチレン樹脂からなる外層部とを備え、外層部において、対応する流入側接続部又は流出側接続部に対して熱融着されている。そして、流入側短管には、パイプ継手を介して流入側の樹脂パイプが接続される。また、流出側短管には、パイプ継手を介して流出側の樹脂パイプが接続される。
【先行技術文献】
【非特許文献】
【０００６】
【非特許文献１】「三井  消火配管システム  エルメックス−ＳＰ  カタログ」、三井化学産資株式会社、２０１６年４月、ｐ．１５
【非特許文献２】「カポリＥＦユニット工法  架橋ポリエチレン２層管電気融着継手  カタログ  Ｖｏｌ．６」、株式会社オンダ製作所、２０１５年７月、ｐ．７
【考案の概要】
【考案が解決しようとする課題】
【０００７】
非特許文献１のヘッダーにあっては、流出側短管の全体が強度の低い非架橋ポリエチレン樹脂よりなることから、Ｏリング等のシール部材の圧接を長期間受け続けると、流出側短管が変形してシール性が低下する問題を生じる。したがって、当該流出側短管にパイプを接続するためのパイプ継手としては、シール部材を必要としないエレクトロフュージョン継手等の熱融着継手に限定されているのが現状であり、シール部材が必要なワンタッチ継手を用いることは現実的ではなかった。
【０００８】
また、非特許文献２のヘッダーにあっては、ヘッダー本体が、熱溶融し難い架橋ポリエチレン樹脂よりなることから、当該ヘッダー本体に別のヘッダー本体を熱融着して簡便に延長できる構造を採用することが困難で、分岐数（流出側短管の数）が限定されたものとなっていた。
【０００９】
本考案の目的は、流出側短管に用いることができるパイプ継手のバリエーションが豊富で、分岐数の選択の自由度も高い配管用ヘッダーを提供すること。
【課題を解決するための手段】
【００１０】
上記目的を達成するために請求項１の配管用ヘッダーによれば、円筒状をなすヘッダー本体の一端部には円筒状の流入側接続部が設けられ、当該流入側接続部は流入側配管具が挿入接続されるものであり、前記ヘッダー本体の外周面には当該ヘッダー本体の軸線方向に沿って複数の流出側接続部が円筒状に突出して設けられ、当該流出側接続部には流出側短管が挿入接続された配管用ヘッダーにおいて、前記ヘッダー本体及び前記流入側接続部並びに前記流出側接続部は非架橋ポリオレフィン樹脂により一体に形成され、前記流出側短管は、架橋ポリオレフィン樹脂で形成された内層部と非架橋ポリオレフィン樹脂で形成された外層部とを備え、当該流出側短管は前記外層部において前記流出側接続部に対して熱融着されていることを特徴とする。
【考案の効果】
【００１１】
本考案の配管用ヘッダーによれば、流出側短管に用いることができるパイプ継手のバリエーションが豊富で、分岐数の自由度も高くなる。
【図面の簡単な説明】
【００１２】
【図１】一実施形態の配管用ヘッダーを示す縦断面図。
【図２】別の種類の配管用ヘッダーを示す縦断面図。
【図３】別の種類の配管用ヘッダーを示す縦断面図。
【図４】複数種類の配管用ヘッダーを組み合わせた状態を示す側面図。
【図５】複数種類の配管用ヘッダーを組み合わせた状態を示す側面図。
【考案を実施するための形態】
【００１３】
以下、本考案を具体化した一実施形態について説明する。
図１〜図５は、本実施形態の配管用ヘッダーを示す。当該配管用ヘッダーは、例えばスプリンクラー配管のヘッダー工法に用いられるものである。当該配管用ヘッダーは３種類が準備されており、単独で又は相互に組み合わされて用いられる。先ずは１種類の配管用ヘッダーについて説明し、残りの配管用ヘッダーについては相違点についてのみ説明する。
【００１４】
（末端用でかつ４連タイプの配管用ヘッダー）
図１に示すように、このタイプの配管用ヘッダー１Ａを構成するヘッダー本体１０は、一端部（図１の下方側の端部）が閉塞された円筒状をなしている。ヘッダー本体１０の他端部（図１の上方側の端部）には、円筒状をなす流入側接続部１１が、ヘッダー本体１０と同軸位置に設けられている。
【００１５】
前記ヘッダー本体１０の外周面には、ヘッダー本体１０の軸線方向に沿って、複数（本実施形態においては４つ）の流出側接続部１２が、円筒状に突出して設けられている。複数の流出側接続部１２の管軸（円筒の中心軸線）は、同一平面上に位置するとともに互いに平行となるように延びている。
【００１６】
前記ヘッダー本体１０及び流入側接続部１１並びに複数の流出側接続部１２は、非架橋ポリオレフィン樹脂により一体に形成されている。非架橋ポリオレフィン樹脂としては、例えば非架橋ポリエチレン樹脂（ＰＥ）や非架橋ポリブテン樹脂（ＰＢ）が挙げられる。
【００１７】
前記複数の流出側接続部１２には、それぞれ流出側短管１３が挿入接続されている。流出側短管１３は、架橋ポリオレフィン樹脂からなる内層部１３ａと、ヘッダー本体１０等と同様の非架橋ポリオレフィン樹脂からなる外層部１３ｂとを備え、外層部１３ｂにおいて、対応する流出側接続部１２の内周部に対して熱融着されている。架橋ポリオレフィン樹脂としては、例えば架橋度が高く、加熱溶融不可能な架橋ポリエチレン樹脂（ＰＥＸ）が挙げられる。
【００１８】
前記配管用ヘッダー１Ａを製造するには、予め製造された流出側短管１３を金型内にセットし、この状態で金型内のキャビティに、溶融状態にある非架橋ポリエチレン樹脂を射出する。したがって、ヘッダー本体１０及び流入側接続部１１並びに流出側接続部１２が成形されるとともに、流出側短管１３の外層部１３ｂと流出側接続部１２の内周部とが熱融着され、当該流出側短管１３と流出側接続部１２とが一体化される。
【００１９】
（中間用でかつ４連タイプの配管用ヘッダー）
図２に示すように、このタイプの配管用ヘッダー１Ｂは、ヘッダー本体１０の一端部が開放されている点が、図１の配管用ヘッダー１Ａとは異なる。ヘッダー本体１０の一端部には、円筒状をなす中間接続部１５が、ヘッダー本体１０と同軸位置に設けられている。中間接続部１５の外径は、別のヘッダー本体１０の流入側接続部１１に対して挿入可能なように、当該流入側接続部１１の内径より若干小さく設定されている。
【００２０】
（末端用でかつ２連タイプの配管用ヘッダー）
図３に示すように、このタイプの配管用ヘッダー１Ｃは、ヘッダー本体１０の軸線方向への長さが短い点が、また流出側接続部１２の数が少ない点（２つである点）が、図１の配管用ヘッダー１Ａとは異なる。
【００２１】
次に、上述した３種類の配管用ヘッダー１Ａ〜１Ｃの使用方法について、その一例を説明する。
図４に示す使用方法は、図１の配管用ヘッダー１Ａを１つと、図２の配管用ヘッダー１Ｂを１つとを組み合わせたものである。詳しくは、配管用ヘッダー１Ａの流入側接続部１１に、流入側配管具としての配管用ヘッダー１Ｂの中間接続部１５を挿入し、ヒートフュージョン接合の手法によって相互に熱融着したものである。また、図２の配管用ヘッダー１Ｂの流入側接続部１１に、流入側配管具としての円筒状のフランジアダプター１７を挿入して、ヒートフュージョン接合の手法によって相互に熱融着させ、当該フランジアダプター１７と流出側接続部１２との間でフランジ１８を保持することで、所謂ルーズフランジを構成している。
【００２２】
図５に示す使用方法は、図２の配管用ヘッダー１Ｂを２つと、図３の配管用ヘッダー１Ｃを１つとを組み合わせたものである。詳しくは、一方の配管用ヘッダー１Ｂの流入側接続部１１に、流入側配管具としての他方の配管用ヘッダー１Ｂを中間接続部１５で以て挿入し、ヒートフュージョン接合の手法によって相互に熱融着したものである。また、流入側配管具としての一方の配管用ヘッダー１Ｂを、中間接続部１５で以て配管用ヘッダー１Ｃの流入側接続部１１に対して挿入し、ヒートフュージョン接合の手法によって相互に熱融着したものである。
【００２３】
図４又は図５のように組み合わされた配管用ヘッダー１Ａ〜１Ｃは、天井スラブ等に図示しない吊下げ金具を介して設置される。流路を兼ねるフランジアダプター１７は、フランジ１８が図示しない給水用の鋼管のフランジに対してボルト・ナットで締結されることで、当該鋼管に接続される。各流出側短管１３には、パイプ継手を介して、図示しないスプリンクラーヘッドに繋がる樹脂パイプが接続される。
【００２４】
当該樹脂パイプと配管用ヘッダー１Ａ〜１Ｃとの接続を工場等で予め行う場合（所謂プレハブ工法の場合）には、前述したパイプ継手として、エレクトロフュージョン継手等の熱融着継手１０１を用いることで、低コスト化やシール性の向上等を図る。また、当該樹脂パイプと配管用ヘッダー１Ａ〜１Ｃとの接続を現場で行う場合には、前述したパイプ継手としてワンタッチ継手１０２を用いることで、施工性の向上を図る。
【００２５】
以上のように、本実施形態の配管用ヘッダー１Ａ〜１Ｃによれば、流出側短管１３の内層部１３ａが、強度の高い架橋ポリオレフィン樹脂よりなることから、Ｏリング等のシール部材の圧接を長期間受け続けたとしても流出側短管１３が変形し難く、シール性を確保することができる。したがって、前述したように、流出側短管１３に対して樹脂パイプを接続するためのパイプ継手として、熱融着継手１０１以外にもワンタッチ継手１０２を用いることができ、当該パイプ継手のバリエーションが豊富となる。
【００２６】
また、本実施形態の配管用ヘッダー１Ａ〜１Ｃによれば、ヘッダー本体１０（流入側接続部１１及び中間接続部１５）が、熱溶融し易い非架橋ポリオレフィン樹脂よりなることから、当該ヘッダー本体１０に別のヘッダー本体１０を熱融着して簡便に延長できる構造を採用することが容易となり、分岐数（流出側短管１３の数）の選択の自由度が高くなる。
【００２７】
＜変形例＞
なお、上記実施形態を次のように変更して具体化することも可能である。
・配管用ヘッダー１Ａを単独で使用すること。
・配管用ヘッダー１Ｃを単独で使用すること。
・配管用ヘッダー１Ａを１つと配管用ヘッダー１Ｃを１つとを組み合わせて使用すること。
【００２８】
・配管用ヘッダー１Ａ又は配管用ヘッダー１Ｂにおいて、流出側接続部１２を３つ又は５つ或いは６つ等とすること。
・配管用ヘッダー１Ｃにおいて、流出側接続部１２を１つとすること。
・配管用ヘッダー１Ａ〜１Ｃにおいて、ヘッダー本体１０の流出側接続部１２及び流出側短管１３が設けられた部分とは軸線を挟んで反対側の部分に、流出側接続部１２及び流出側短管１３の別の群を設けること。
【符号の説明】
【００２９】
１Ａ…配管用ヘッダー、１Ｂ…配管用ヘッダー、１Ｃ…配管用ヘッダー、１０…ヘッダー本体、１１…流入側接続部、１２…流出側接続部、１３…流出側短管、１３ａ…内層部、１３ｂ…外層部、１５…中間接続部、１７…流入側配管具としてのフランジアダプター、１８…フランジ、１０１…熱融着継手、１０２…ワンタッチ継手。
【図１】
0003206954.tif 000003
【図２】
0003206954.tif 000004
【図３】
0003206954.tif 000005
【図４】
0003206954.tif 000006
【図５】
0003206954.tif 000007